(57)【要約】【課題】  親綱が連結される鉄筋を撓みにくくする鉄筋用親綱ブラケットを提供する。【解決手段】  鉄筋用親綱ブラケット１６は、両端部に取付孔２１，２２が形成される長尺部材１９，２０と、鉄筋１１に掛け留められるフック部と取付孔２１，２２に挿通され蝶ナット２９が螺合するネジ部とを備える締結具２８と、長尺部材１９，２０の一端部に設けられ、親綱１５が連結されるリング部材２６，２７とを有している。複数の締結具２８を鉄筋１１に掛け留めるとともに取付孔２１，２２のそれぞれに挿通し、蝶ナット２９を締め付けることにより鉄筋１１に対して固定される長尺部材１９，２０に親綱１５を連結する。【選択図】    図１
2006083602.tif 000002
【特許請求の範囲】
【請求項１】
鉄筋コンクリート工事に際して、鉄筋に親綱を連結するために用いられる鉄筋用親綱ブラケットであって、
両端部に取付孔が形成される長尺部材と、
前記鉄筋に掛け留められるフック部と前記取付孔に挿通されナットが螺合するネジ部とを備える締結具と、
前記長尺部材の一端部に設けられ、前記親綱が連結されるリング部材とを有し、
複数の前記締結具を前記鉄筋に掛け留めるとともに前記取付孔のそれぞれに挿通し、前記ナットを締め付けることにより前記鉄筋に対して固定される前記長尺部材に前記親綱を連結することを特徴とする鉄筋用親綱ブラケット。
【請求項２】
請求項１記載の鉄筋用親綱ブラケットにおいて、前記長尺部材の両端部に前記取付孔を複数形成することを特徴とする鉄筋用親綱ブラケット。
【請求項３】
請求項１または２記載の鉄筋用親綱ブラケットにおいて、前記リング部材に前記ネジ部が挿通される張り出し部を設け、前記取付孔に挿通された前記ネジ部に前記張り出し部を挿通させた後、前記ナットを締め付けることにより、前記長尺部材の一端部に前記リング部材を設けることを特徴とする鉄筋用親綱ブラケット。
【請求項４】
請求項１または２記載の鉄筋用親綱ブラケットにおいて、前記リング部材を溶接することにより、前記長尺部材の一端部に前記リング部材を設けることを特徴とする鉄筋用親綱ブラケット。
【請求項５】
請求項１〜４のいずれか１項に記載の鉄筋用親綱ブラケットにおいて、前記長尺部材の中央部で他の前記長尺部材の中央部を交差させるとともに回転自在に連結してＸ字状の組立体を形成し、複数の前記締結具を用いて前記組立体を前記鉄筋に固定することを特徴とする鉄筋用親綱ブラケット。  
【発明の詳細な説明】
【技術分野】
【０００１】
本発明は鉄筋コンクリート工事に際して、鉄筋に親綱を連結するために用いられる鉄筋用親綱ブラケットに関する。
【背景技術】
【０００２】
主体構造を鉄筋コンクリートで構築した鉄筋コンクリート製構造物は、鉄筋コンクリート工事、即ち、鉄筋の建て込み、コンクリート型枠の設置、コンクリートの打設工事を繰り返し行うことで下層側から順次建造される。鉄筋コンクリート工事に際して、所定の間隔で配置される鉄筋コンクリート柱の鉄筋（主筋）の間に親綱を張り渡し、上層で作業する作業員に親綱に連結される安全帯を身に付けさせ、作業員の転落事故を未然に防止する場合がある。従来、親綱の両端部に輪通し状のフックを設け、突出して配置される鉄筋を１本選択し、その鉄筋の上端からフックを通すことにより、鉄筋に親綱を連結する技術が知られている（例えば、特許文献１参照）。
【特許文献１】特開２００１−２３１８７５号公報
【発明の開示】
【発明が解決しようとする課題】
【０００３】
１本の鉄筋に親綱を張り渡すようにすると、作業員が誤って転落した場合など親綱に大きな荷重が作用する場合には、親綱が張り渡された鉄筋の一部に荷重が集中して大きく撓んでしまうことがあり、撓んでしまった鉄筋を補修するための作業負担が大きかった。
【０００４】
本発明の目的は、親綱が連結される鉄筋を撓みにくくする鉄筋用親綱ブラケットを提供することにある。
【課題を解決するための手段】
【０００５】
本発明の鉄筋用親綱ブラケットは、鉄筋コンクリート工事に際して、鉄筋に親綱を連結するために用いられる鉄筋用親綱ブラケットであって、両端部に取付孔が形成される長尺部材と、前記鉄筋に掛け留められるフック部と前記取付孔に挿通されナットが螺合するネジ部とを備える締結具と、前記長尺部材の一端部に設けられ、前記親綱が連結されるリング部材とを有し、複数の前記締結具を前記鉄筋に掛け留めるとともに前記取付孔のそれぞれに挿通し、前記ナットを締め付けることにより前記鉄筋に対して固定される前記長尺部材に前記親綱を連結することを特徴とする。
【０００６】
本発明の鉄筋用親綱ブラケットは、前記長尺部材の両端部に前記取付孔を複数形成することを特徴とする。
【０００７】
本発明の鉄筋用親綱ブラケットは、前記リング部材に前記ネジ部が挿通される張り出し部を設け、前記取付孔に挿通された前記ネジ部に前記張り出し部を挿通させた後、前記ナットを締め付けることにより、前記長尺部材の一端部に前記リング部材を設けることを特徴とする。
【０００８】
本発明の鉄筋用親綱ブラケットは、前記リング部材を溶接することにより、前記長尺部材の一端部に前記リング部材を設けることを特徴とする。
【０００９】
本発明の鉄筋用親綱ブラケットは、前記長尺部材の中央部で他の前記長尺部材の中央部を交差させるとともに回転自在に連結してＸ字状の組立体を形成し、複数の前記締結具を用いて前記組立体を前記鉄筋に固定することを特徴とする。    
【発明の効果】
【００１０】
本発明によれば、親綱が連結される長尺部材を鉄筋に対して複数箇所で固定することにより、親綱に大きな荷重が作用しても、親綱が張り渡された鉄筋の一部に荷重が集中することなく分散して伝わるので、鉄筋が撓みにくくなり大荷重にも耐えることができる。一端部を柱部を構成する鉄筋に固定し、他端部を梁部を構成する鉄筋に固定すれば、コーナー部用の鉄筋用親綱ブラケットとして使用することができ、２本の長尺部材をＸ字状に連結して形成される組立体を柱部を構成する２本の鉄筋に固定すれば、更に鉄筋が撓みにくい鉄筋用親綱ブラケットとして使用することができる。
【００１１】
本発明によれば、長尺部材の両端部に複数の取付孔を設けることによって、柱部を構成する鉄筋の立設間隔に応じて、締結具の装着位置を変えることができる。Ｘ字状の組立体を構成する２本の長尺部材は相互に回転自在に連結されていおり、鉄筋の立設間隔に応じて開き具合を変えることができ、完全に閉じておけば上げ下ろし作業が容易となり、かさ張ることもない。
【００１２】
本発明によれば、リング部材を長尺部材の上端部に設置し作業員が転落した際の落下距離を短くすることにより、作業員および鉄筋に作用する衝撃力を小さくすることができる。
【発明を実施するための最良の形態】
【００１３】
以下、本発明の実施の形態を図面に基づいて詳細に説明する。
【００１４】
図１は建造中の鉄筋コンクリート製構造物の上層を示す斜視図である。鉄筋コンクリート製構造物１０は、鉄筋コンクリート工事、即ち、鉄筋１１の建て込み、コンクリート型枠１２の設置、コンクリートの打設工事を繰り返し行うことで下層側から順次建造される。図１に示される場合にあっては、複数の鉄筋１１が網目状に配筋された梁部１３と、複数の鉄筋１１が立設された柱部１４とが形成されるとともに、梁部１３に沿ってコンクリート型枠１２が設置されている。
【００１５】
柱部１４は所定の間隔で配置されており、これらの柱部１４の間には、図示しない安全帯が連結される親綱１５が張り渡されている。柱部１４を構成する鉄筋１１の一部には鉄筋用親綱ブラケット１６が設けられており、親綱１５は鉄筋用親綱ブラケット１６に張り渡されるようになっている。
【００１６】
図２は一実施の形態である鉄筋用親綱ブラケットの全体構成を示す斜視図である。なお、図１に示される部材と同様の部材には同一の符号が付されている。
【００１７】
鉄筋用親綱ブラケット１６は、両端部に鉄筋１１に当接するスペーサ１７，１８が固定される鋼製の長尺部材１９，２０を有している。長尺部材１９，２０の両端部には、表面１９ａ，２０ａからスペーサ１７を貫いて裏面１９ｂ，２０ｂに貫通する取付孔２１，２２が所定の間隔で複数形成されている。なお、スペーサ１７，１８は必ずしも設けなくとも良い。
【００１８】
図２に示される場合にあっては、２つの長尺部材１９，２０をそれぞれの中央部１９ｃ，２０ｃで交差させるとともに、それらの長尺部材１９，２０を中央部１９ｃ，２０ｃにて回転自在に連結してＸ字状の組立体２３を形成している。組立体２３を構成する長尺部材１９は平板状の部材であり、他方の長尺部材２０は剛性を高めるため表面側にＬ字状に折り曲げられた部材であり、長尺部材１９の表面１９ａと長尺部材２０の裏面２０ｂとが回転角度に応じて摺接している。
【００１９】
長尺部材１９，２０のそれぞれを回転自在に支持するために、それらの中央部１９ｃ，２０ｃには回転軸としてのボルト２４が貫通して装着されており、ボルト２４の脱落を防止するため、Ｌ字状の長尺部材２０の表面２０ａ側から六角ナット２５が装着されている。長尺部材１９，２０の一方を把持しつつ他方を回転させることにより、鉄筋１１の立設間隔に応じて開き具合を変えることができ、完全に閉じておけば上げ下ろし作業が容易となり、かさ張ることもない。
【００２０】
長尺部材１９，２０の一端部には、親綱１５が連結されるリング部材２６，２７が設けられている。リング部材２６，２７は親綱１５に連結されるリングを有する鋼製の部材であって、図１および図２に示される場合にあっては、長尺部材１９，２０の一端部から突出して配置されるように、それぞれのスペーサ１７，１８に溶接されている。上述の組立体２３は垂直に立設した状態で、リング部材２６，２７が上側に配置されるように、柱部１４を構成する鉄筋１１に対して固定される。なお、スペーサ１７，１８を設けずに、長尺部材１９，２０の一端部に直接溶接することもできる。
【００２１】
図３は図１に示されるＡ部付近の拡大斜視図である。なお、図１に示される部材と同様の部材には同一の符号が付されている。鉄筋用親綱ブラケット１６は、組立体２３を鉄筋１１に固定するための締結具２８を有している。締結具２８は、鉄筋１１に掛け留められるフック部２８ａと取付孔２２に挿通され蝶ナット２９が螺合するネジ部２８ｂとを備え、フック部２８ａを鉄筋１１に掛け留めるとともに長尺部材２０の裏面２０ｂから取付孔２２にネジ部２８ｂを挿通させ、表面２０ａから蝶ナット２９を締め付けることにより、鉄筋１１に対して長尺部材２０を固定することができる。
【００２２】
この締結具２８は、組立体２３を構成する長尺部材１９，２０に形成された取付孔２１，２２のそれぞれに装着されており、図１に示される場合にあっては、上下左右の４箇所で鉄筋１１に対して長尺部材１９，２０を固定するようになっている。このように、長尺部材１９，２０を鉄筋１１に対して複数箇所で固定することで、親綱１５に大きな荷重が作用しても、親綱１５が張り渡された鉄筋１１の一部に荷重が集中することなく分散して伝わり、鉄筋１１が撓みにくくなり大荷重にも耐えることができる。
【００２３】
長尺部材１９，２０には複数の取付孔２１，２２が形成されており、柱部１４を構成する鉄筋１１の立設間隔に応じて、取付孔２１，２２に締結具２８を装着できるようになっている。親綱１５の両端部には開閉自在の連結具３０が設けられ、リング部材２６，２７に連結具３０を掛け留めることによって、図１に示されるように、柱部１４の間に親綱１５を張り渡すことができる。このリング部材２６，２７は、上述の溶接以外の方法により、長尺部材１９，２０の一端部に設けることもできる。
【００２４】
図４は他の実施の形態であるリング部材を示す斜視図である。なお、図１に示される部材と同様の部材には同一の符号が付されている。図４に示されるリング部材３１には、締結具２８のネジ部２８ｂが挿通される張り出し部３１ａと親綱１５が連結される環状部３１ｂとが一体として設けられている。そして、張り出し部３１ａを長尺部材２０の表面２０ａから突出したネジ部２８ｂに挿通させ、蝶ナット２９を締め付けることにより、長尺部材２０の一端部にリング部材を設けることができるようになっている。取付孔２２に挿通される締結具２８の取付位置に対応して、リング部材３１の配置を変更することができる。
【００２５】
本発明は前記実施の形態に限られるものでなく、その要旨を逸脱しない範囲内において種々変更可能である。たとえば、図１〜図４に示される実施の形態にあっては２本の長尺部材１９，２０により組立体２３を形成しているが、Ｘ字状の組立体２３を固定しにくいコーナー部用の鉄筋用親綱ブラケットとして、１本の長尺部材で鉄筋用親綱ブラケット１６を構成し、一端部を柱部１４を構成する鉄筋１１に固定し、他端部を梁部１３を構成する鉄筋１１に固定するようにしても良い。長尺部材１９，２０は、平板状の部材や断面Ｌ字状の部材に限られることなく、角柱状や円柱状の鋼製パイプであっても良い。
【図面の簡単な説明】
【００２６】
【図１】建造中の鉄筋コンクリート製構造物の上層を示す斜視図である。
【図２】一実施の形態である鉄筋用親綱ブラケットの全体構成を示す斜視図である。
【図３】図１に示されるＡ部付近の拡大斜視図である。
【図４】他の実施の形態であるリング部材を示す斜視図である。
【符号の説明】
【００２７】
１０  鉄筋コンクリート製構造物
１１  鉄筋
１２  コンクリート型枠
１３  梁部
１４  柱部
１５  親綱
１６  鉄筋用親綱ブラケット
１７，１８  スペーサ
１９，２０  長尺部材
１９ａ，２０ａ  表面
１９ｂ，２０ｂ  裏面
１９ｃ，２０ｃ  中央部
２１，２２  取付孔
２３  組立体
２４  ボルト
２５  六角ナット
２６，２７  リング部材
２８  締結具
２８ａ  フック部
２８ｂ  ネジ部
２９  蝶ナット
３０  連結具
３１  リング部材
３１ａ  張り出し部
３１ｂ  環状部
【図１】
2006083602.tif 000003
【図２】
2006083602.tif 000004
【図３】
2006083602.tif 000005
【図４】
2006083602.tif 000006